(57)【要約】      （修正有）【課題】有効に光路長に差を設けることが可能な光伝送路の工事方法。【解決手段】第１光路設置工程では、第１光ファイバ伝送路１３１の一端を第１出力端子１５１に接続すると共に、他端に第１反射手段を設け、光伝送路上における第１ターミネーションフィルタ２１１による監視光の第１反射ピークＰ１を検出し、第１反射ピークＰ１の位置Ｓ１を基準として位置Ａｉと位置Ｂｉを特定し、第ｍ光路設置工程では、第２〜第ｎの光ファイバ伝送路１３２〜１３ｎのうち第ｍ（２≦ｍ≦ｎ）光路の一端を第ｍ出力端子１５ｍに光学的に接続すると共に、他端に第ｍ反射手段を設け、光伝送路上における第ｍターミネーションフィルタ２１ｍによる監視光の第ｍ反射ピークを検出する。第１反射ピークＰ１の位置及び複数の位置Ａｉ,Ｂｉに基づき、第ｍ光ファイバ伝送路１３ｍの他端側の余長を決定する。所定の場合には、第ｍ光ファイバ伝送路１３ｍの他端側の余長を調節する。【選択図】図１
2010276838.tif 000002
【特許請求の範囲】
【請求項１】
入力端子に入力した光信号をＮ分岐して第１〜第Ｎの出力端子に出力する光分岐器と、第１〜第Ｎの出力端子のうち第１〜第ｎ（２≦ｎ≦Ｎ）の出力端子それぞれに接続される第１〜第ｎの光路と、を含む光伝送路を構成するに際して、第１〜第ｎの光路設置工程を順次に行うことにより前記第１〜前記第ｎの光路を順次に工事する方法であって、
前記第１光路設置工程では、前記第１光路の一端を前記第１出力端子に光学的に接続すると共に、前記第１光路の他端に第１反射手段を設け、光リフレクトメトリ法を用いて前記光伝送路上における前記第１反射手段による監視光の第１反射位置を検出し、
前記第１光路設置工程後に、前記光伝送路上における前記第１反射位置を基準として、前記光伝送路上に前記第１反射位置から前記光分岐器に近づく方向及び前記光分岐器から遠ざかる方向それぞれにおいて複数の位置を特定し、
第ｍ光路設置工程では、前記第１反射位置及び特定された前記複数の位置に基づき、前記第２〜前記第ｎの光路のうち第ｍ（２≦ｍ≦ｎ）光路の他端側の余長を決定し、前記第ｍ光路の一端を前記第ｍ出力端子に光学的に接続すると共に、前記第ｍ光路の前記他端に第ｍ反射手段を設け、光リフレクトメトリ法を用いて前記光伝送路上における前記第ｍ反射手段による監視光の第ｍ反射位置を検出し、前記第ｍ反射位置が前記第１〜第（ｍ−１）の反射位置の何れかと区別できない場合には、前記第ｍ反射位置が前記第１〜前記第（ｍ−１）の各反射位置と区別できるように前記第ｍ光路の前記他端側の前記余長を調節する光伝送路の工事方法。
【請求項２】
前記複数の位置は、前記各反射位置の検出に用いられる装置の分解能以上の間隔で互いに離れており、
前記第１〜前記第（ｍ−１）の各反射位置と特定された前記複数の位置とに基づき、前記第ｍ光路設置工程において前記第ｍ光路の前記他端側の前記余長を決定する請求項１に記載の光伝送路の工事方法。
【請求項３】
前記第ｍ光路設置工程における前記第ｍ反射位置が前記第１〜前記第（ｍ−１）の反射位置の何れかと区別できない場合には、前記第ｍ反射位置が特定された前記複数の位置のうちいずれか一つと一致するように前記第ｍ光路の前記他端側の前記余長を調節する請求項１又は２に記載の光伝送路の工事方法。
【請求項４】
前記光リフレクトメトリ法は、ＯＣＤＲである、請求項１〜３の何れか一項に記載の光伝送路の工事方法。
【発明の詳細な説明】
【技術分野】
【０００１】
本発明は光伝送路の工事方法に関する。
【背景技術】
【０００２】
従来から、Ｆｉｂｅｒ  Ｔｏ  Ｔｈｅ  Ｈｏｍｅ（ＦＴＴＨ）等のデータ通信システムにおいて、光伝送路が用いられている。また、通信システムに用いられる光伝送路を開示するものとしては、例えば下記非特許文献１がある。この文献には、入力端子に入力した光信号を分岐して複数の出力端子へ出力する光スプリッタと、光スプリッタの各出力端子に光学的に接続されていると共に端部に反射手段が設けられた複数の光路とを有する光伝送路が開示されている。このような光伝送路の複数の光路を互いに区別して監視するためには、光スプリッタの入力端子から複数の光路の各端部に設けられている反射手段までのそれぞれの光路長に差を設ける必要がある。
【先行技術文献】
【非特許文献】
【０００３】
【非特許文献１】「拡大する光アクセス網を支える光媒体網運用技術」  ＮＴＴ技術ジャーナル  ２００６年１２月
【発明の概要】
【発明が解決しようとする課題】
【０００４】
しかし、有効に光路長に差を設けることが可能な光伝送路の工事方法については、未だ報告されていない。
【０００５】
本発明は、上記問題点を解消するためになされたものであり、有効に光路長に差を設けることが可能な光伝送路の工事方法を提供することをその目的とする。
【課題を解決するための手段】
【０００６】
本発明に係る光伝送路の工事方法は、入力端子に入力した光信号をＮ分岐して第１〜第Ｎの出力端子に出力する光分岐器と、第１〜第Ｎの出力端子のうち第１〜第ｎ（２≦ｎ≦Ｎ）の出力端子それぞれに接続される第１〜第ｎの光路と、を含む光伝送路を構成するに際して、第１〜第ｎの光路設置工程を順次に行うことにより第１〜第ｎの光路を順次に工事する方法であって、第１光路設置工程では、第１光路の一端を第１出力端子に光学的に接続すると共に、第１光路の他端に第１反射手段を設け、光リフレクトメトリ法を用いて光伝送路上における第１反射手段による監視光の第１反射位置を検出し、第１光路設置工程後に、光伝送路上における第１反射位置を基準として、光伝送路上に第１反射位置から光分岐器に近づく方向及び光分岐器から遠ざかる方向それぞれにおいて複数の位置を特定し、第ｍ光路設置工程では、第１反射位置及び特定された複数の位置に基づき、第２〜第ｎの光路のうち第ｍ（２≦ｍ≦ｎ）光路の他端側の余長を決定し、第ｍ光路の一端を第ｍ出力端子に光学的に接続すると共に、第ｍ光路の他端に第ｍ反射手段を設け、光リフレクトメトリ法を用いて光伝送路上における第ｍ反射手段による監視光の第ｍ反射位置を検出し、第ｍ反射位置が第１〜第（ｍ−１）の反射位置の何れかと区別できない場合には、第ｍ反射位置が第１〜第（ｍ−１）の各反射位置と区別できるように第ｍ光路の他端側の余長を調節する。
【０００７】
本発明に係る光伝送路の工事方法では、光伝送路上における第１反射位置を基準として、光伝送路上に第１反射位置から光分岐器に近づく方向及び光分岐器から遠ざかる方向それぞれにおいて複数の位置を特定し、第１反射位置及び特定された複数の位置に基づき、第ｍ光路設置工程において第ｍ光路の他端側の余長を決定する。これにより、各光路における余長の決定において準拠される所定の基準が確立され、効率的に光伝送路の工事を行うことができる。
【０００８】
第ｍ光路設置工程における第ｍ反射位置が第１〜第（ｍ−１）の反射位置の何れかと区別できない場合には、第ｍ反射位置が第１〜第（ｍ−１）の各反射位置と区別できるように第ｍ光路の他端側の余長を調節する。そのため、光スプリッタの入力端子から各反射手段までの光路長において差を確保することができる。結果として、光スプリッタの第１〜第ｎの出力端子それぞれに光学的に接続されている第１〜第ｎの光路を互いに区別して監視することができる。
【０００９】
また、第ｍ光路設置工程における第ｍ反射位置が第１〜第（ｍ−１）の反射位置の何れかと区別できない場合にのみ、第ｍ光路の他端側の余長を調節するので、光伝送路の工事完了までの時間及びコストを削減することができる。
【００１０】
また、特定された複数の位置は、各反射位置の検出に用いられる装置の分解能以上の間隔で互いに離れており、第１〜第（ｍ−１）の各反射位置と特定された複数の位置とに基づき、第ｍ光路設置工程において第ｍ光路の他端側の余長を決定することが好適である。なお、ここで空間分解能とは、監視光の後方散乱光の強度の時間的変化のデータ上で各ターミネーションフィルタによる反射ピークが確実に区別できる能力をいい、通常、区別可能な２点間の最短距離で表される。
【００１１】
また、第ｍ光路設置工程における第ｍ反射位置が第１〜第（ｍ−１）の反射位置の何れかと区別できない場合には、第ｍ反射位置が特定された複数の位置のうちいずれか一つと一致するように第ｍ光路の他端側の余長を調節することが好適である。これにより、第１〜第ｎの光路を互いに区別して監視することができるように、確実に且つ容易に光路間の光路長に差を設けることができる。
【００１２】
光リフレクトメトリ法は、Ｏｐｔｉｃａｌ  Ｃｏｈｅｒｅｎｃｅ  Ｄｏｍａｉｎ  Ｒｅｆｌｅｃｔｏｍｅｔｒｙ（ＯＣＤＲ）であることが好適である。空間分解能が優れたＯＣＤＲを用いると、光スプリッタの入力端子から各反射手段までの光路長の差を例えば数センチ以下等に短く抑えることができる。そのため、第２光路設置工程以降において設置される光路において余長を不必要に長く確保する必要がなく、各余長を小さいキャビネットで収納することができる。また、各余長が小さいキャビネットでも収納することができるので、小住宅などにも敷設することができると共に美観に優れた光伝送路を構成することができる。
【発明の効果】
【００１３】
有効に光路長に差を設けることが可能な光伝送路の工事方法を提供することができる。
【図面の簡単な説明】
【００１４】
【図１】本実施形態に係る光伝送路の工事方法により敷設される光伝送路及び光伝送路の工事のために用いられる光伝送路監視装置が示されている。
【図２】本実施形態に係る光伝送路の工事方法を説明するためのフローチャートである。
【図３】本実施形態に係る光伝送路の工事方法を詳細に説明するための図である。
【発明を実施するための形態】
【００１５】
以下、添付図面を参照しながら、本発明の実施形態を詳細に説明する。なお、図面の説明において同一又は同等の要素には同一の符号を付し、重複する説明を省略する。
【００１６】
まず、図１及び図２を参照して、本実施形体に係る光伝送路の工事方法について説明する。図１は、本実施形態に係る光伝送路の工事方法により敷設された光伝送路１及び光伝送路の工事のために用いられる光伝送路監視装置３が示されている。図２は、本実施形態に係る光伝送路１の工事方法を説明するためのフローチャートである。
【００１７】
構成されるべき光伝送路１は、電話局側の終端装置（Ｏｐｔｉｃａｌ  Ｌｉｎｅ  Ｔｅｒｍｉｎａｌ：ＯＬＴ）５と複数の加入者宅側の終端装置（Ｏｐｔｉｃａｌ  Ｎｅｔｗｏｒｋ  Ｕｎｉｔ：ＯＮＵ）７１〜７Ｎとの間に敷設されるものであり、光スプリッタ９、光ファイバ伝送路１１及び光ファイバ伝送路１３１〜１３Ｎ（Ｎ≧２）を含む。構成されるべき光伝送路１のうち、光ファイバ伝送路１１及び光スプリッタ９は既に設けられているとする。具体的には、光ファイバ伝送路１１の一端には光伝送路監視装置３の部品であると共にＯＬＴ５と光学的に接続されている光合分波器１７が光学的に接続されており、他端には光スプリッタ９の入力端子が光学的に接続されている。
【００１８】
光スプリッタ９は、光ファイバ伝送路１１によって入力端子に入力した光信号をＮ（ＮＮ≧２）分岐して、出力端子１５１〜１５Ｎへ出力する。
【００１９】
光伝送路監視装置３は、光合分波器１７及び測定装置１９を備える。測定装置１９は、光リフレクトメトリ技術、好ましくはＯＣＤＲを用いて光伝送路１上における後方散乱光及び反射率分布を測定する。詳細には、光伝送路１へ伝搬させるべき監視光を出力すると共に、この監視光が光ファイバ伝送路１１及び光ファイバ伝送路１３１〜１３Ｎを伝搬する際に生じる後方散乱光を受光して、光伝送路１における反射率分布を測定する。光合分波器１７は、光ファイバ伝送路１１の一端に設けられており、測定装置１９から出力された監視光を光ファイバ伝送路１１へ結合し、光ファイバ伝送路１１により到達した後方散乱光を測定装置１９へ結合する。
【００２０】
以下、光伝送路１のうち、光スプリッタ９とＯＮＵ７１〜７Ｎとの間の光ファイバ伝送路１３１〜１３Ｎの工事方法を説明する。
【００２１】
（第１光路設置工程）
第１光路設置工程では、まず、第１光ファイバ伝送路１３１の一端を光スプリッタ９の第１出力端子１５１に光学的に接続する（Ｓ０１）。次に、第１光ファイバ伝送路１３１が長さＭ１となるように他端を切断して、切断された他端を第１ターミネーションフィルタ２１１で成端する（Ｓ０２）。第１光路設置工程では、保留余長がいらないため、第１光ファイバ伝送路１３１の長さＭ１が、光スプリッタ９からＯＮＵ１までの最短距離Ｑ１と同じである（Ｍ１＝Ｑ１）。その後、第１ターミネーションフィルタ２１１とＯＮＵ７１とを光学的に接続する。引き続き、光伝送路監視装置３により、光伝送路監視装置３から第１ターミネーションフィルタ２１１までの光路長Ｌ１を測定する（Ｓ０３）。
【００２２】
光路長Ｌ１を測定する方法を、図３を用いて具体的に説明する。図３は、測定装置１９において取得された光ファイバ伝送路１３１〜１３Ｎ（Ｎ≧２）におけるターミネーションフィルタ２１１〜ターミネーションフィルタ２１ｍ（１≦ｍ≦ｎ）の反射ピーク分布のデータを簡略に示す図である。図３に示すデータにおいて、その横軸は光伝送路１の長さ（すなわち、測定装置１９から監視光が出力された時刻から後方散乱光が戻るまでの経過時間から計算された距離）を示し、縦軸は例えば反射率を示す。図３には、第１ターミネーションフィルタ２１１で監視光が反射されることにより生じた第１反射ピークＰ１が示されている。この第１反射ピークＰ１のデータの横軸上の位置Ｓ１に基づいて光伝送路監視装置３から第１ターミネーションフィルタ２１１までの光路長Ｌ１を算出する。これにより、第１光路設置工程が終了する。
【００２３】
引き続き、データの横軸上に位置Ｓ１を特定して目盛をマークする。また、位置Ｓ１を基準として位置Ｓ１から光スプリッタ９に近づく方向に順に位置Ａｉ（ｉ＝１，２，３…，ｋ）を特定して目盛をマークすると共に、位置Ｓ１から光スプリッタ９に遠ざかる方向に順に位置Ｂｉ（ｉ＝１，２，３…，ｋ）を特定して目盛をマークする（Ｓ０４）。また、第１ターミネーションフィルタ２１１による反射ピークＰ１により占有された位置Ｓ１を削除（例えば、色を反転するなどして表示）する。位置Ｓ１及び位置Ａ１は互いに間隔ａ１だけ離れており、位置Ａｉ−１及び位置Ａｉは互いに間隔ａｉ（ｉ≧２）だけ離れている。また、位置Ｓ１及び位置Ｂ１は互いに間隔ｂ１だけ離れており、位置Ｂｉ−１及び位置Ｂｉは互いに間隔ｂｉ（ｉ≧２）だけ離れている。
【００２４】
間隔ａｉ（ｉ＝１，２，３…，ｋ）及びｂｉ（ｉ＝１，２，３…，ｋ）は、光伝送路監視装置３の空間分解能以上である。間隔ａｉ，ｂｉと位置Ｓ１、Ａｉ及びＢｉは、第１光ファイバ伝送路１３１以降に設置する光ファイバ伝送路１３２〜１３Ｎの他端側の保留余長を決める際に用いられる値となる。
【００２５】
（第２光路設置工程）
引き続き、第２光ファイバ伝送路１３２の一端を光スプリッタ９の第２出力端子１５２に光学的に接続する（Ｓ０５）。その後、第２光ファイバ伝送路１３２が長さＭ２となるように他端を切断し、切断された他端を第２ターミネーションフィルタ２１２で成端する（Ｓ０６）。この際に、第２光ファイバ伝送路１３２の長さＭ２が、光スプリッタ９からＯＮＵ２までの最短距離Ｑ２に所定の保留余長α２を付与した長さであることが好ましい。また、保留余長α２は、位置Ｓ１、位置Ａｉ及びＢｉのうち、本第２光路設置工程の前工程までに削除されていない位置（すなわち、位置Ｓ１以外）のうちで、相隣の位置との間隔のうちでの最大値（ＭＡＸ［ａｋ、ａｋ−１、・・・、ａ２、ａ１＋ｂ１、ｂ２、・・・、ｂｋ−２、ｂｋ−１、ｂｋ］）とすることが好ましい。
【００２６】
その後、再び光伝送路監視装置３を用いて、光リフレクトメトリ技術による光伝送路１上における反射率分布のデータを取得し、第２ターミネーションフィルタ２１２で監視光が反射されることにより生じた第２反射ピークＰ２を取得する（Ｓ０７）。
【００２７】
引き続き、光伝送路１上における反射率分布のデータにおいて、第１ターミネーションフィルタ２１１及び第２ターミネーションフィルタ２１２それぞれによる監視光の第１反射ピークＰ１及び第２反射ピークＰ２が互いに区別できるか否かを判断する（Ｓ０８）。
【００２８】
まず、第２反射ピークＰ２が位置Ｂｋ−1上にある場合（以下、第１の場合とし、この場合の反射ピークをＰ２（１）とする）を仮定する。この場合には、第１ターミネーションフィルタ２１１による第１反射ピークＰ１と第２ターミネーションフィルタ２１２による第２反射ピークＰ２（１）とが光伝送路監視装置３の空間分解能以上の間隔で離れており互いに区別できるため（図３の点線参照）、次のステップＳ０９に進む。ステップＳ０９では、位置Ａｉ及び位置Ｂｉのうち、ステップＳ０７において取得した反射ピークの位置と一致するものがある場合にはその一致するものを削除し、一致するものがない場合には反射ピークの位置の前後に位置するもの（両側に直近して位置するもの）を削除する。そのため、第１の場合には、位置Ａｉ及び位置Ｂｉのうち第２反射ピークＰ２が位置する位置Ｂｋ−１を削除する。その後、第２ターミネーションフィルタ２１２とＯＮＵ７２とを光学的に接続する。第１の場合には、これにより第２光路設置工程が終了する。
【００２９】
次に、第２反射ピークＰ２がＢ１及びＢ２の間にある場合（以下、第２の場合とし、この場合の反射ピークをＰ２（２）とする）を仮定する。この場合にも、第１ターミネーションフィルタ２１１による第１反射ピークＰ１と第２ターミネーションフィルタ２１２による第２反射ピークＰ２（２）とが光伝送路監視装置３の空間分解能以上の間隔で離れており互いに区別できるため（図３の点線参照）、次のステップＳ０９に進む。ステップＳ０９においては、第２反射ピークＰ２の両側に直近して位置する位置Ｂ１及びＢ２を削除する。その後、第２ターミネーションフィルタ２１２とＯＮＵ７２とを光学的に接続する。第２の場合には、これにより第２光路設置工程が終了する。
【００３０】
また、反射ピークＰ１及び反射ピークＰ２が互いに区別できない場合（以下、第３の場合とし、この場合の反射ピークをＰ２（３）とする）を仮定する。この場合には、第２光ファイバ伝送路１３２の他端側の保留余長のうちで他端から所定の長さを切断して第２ターミネーションフィルタ２１２での成端を再び行う（Ｓ１０）。区別できない場合にのみ、光ファイバ伝送路の他端側の保留余長を調節するので、光伝送路１の工事完了までの時間及びコストを削減することができる。このとき、ステップＳ０７において取得した反射ピークの位置が、位置Ａｉ及びＢｉのうち、直前の光路設置工程まで削除されていない位置のうちで最短距離にある位置と一致するように保留余長を切断する。すなわち、第２反射ピークＰ２（３）が位置Ａ１と一致するように第２光ファイバ伝送路１３２の他端側の保留余長を調節することが好ましい（図３の点線参照）。これにより、確実に且つ容易に第１及び第２の光ファイバ伝送路１３１，１３２の間の光路長に差を設けることができる。その後に、更にステップＳ０７及びＳ０８を再び行い、ステップＳ０９に進み、ステップＳ０９において位置Ａ１を削除する。その後、第２ターミネーションフィルタ２１２とＯＮＵ７２とを光学的に接続する。第３の場合には、これにより第２光路設置工程が終了する。
【００３１】
(その他の工程)
上述した第１〜第３の何れかの場合を経てステップＳ０９が終了すると、他の光ファイバ伝送路を設けるか否かが判断される（Ｓ１１）。他の光ファイバ伝送路を設けない場合には、光伝送路１の工事はここで終了する。一方、他の光ファイバ伝送路を設ける場合には、ステップＳ０５に戻り、上述したような工程を経ることで光スプリッタ９とＯＮＵ７３との間に第３光ファイバ伝送路１３３を設ける。詳細には、第３光ファイバ伝送路１３３の一端を光スプリッタ９の第３出力端子１５３に光学的に接続する（Ｓ０５）。次に、第３光ファイバ伝送路１３３が長さＭ３となるように他端を切断し、切断された他端を第３ターミネーションフィルタ２１３で成端する（Ｓ０６）。その後、上述の方法と同様にステップＳ０７〜Ｓ０９（又は、ステップＳ０７、Ｓ０８、Ｓ１０及びＳ０７〜Ｓ０９）を行う。なお、ステップＳ０６において、第３光ファイバ伝送路１３３の長さＭ３は、光スプリッタ９からＯＮＵ３までの最短距離Ｑ３に所定の保留余長α３を付与した長さであることが好ましい。保留余長α３は、位置Ｓ１、位置Ａｉ及び位置Ｂｉのうち、本第３光路設置工程の直前の工程、すなわち第１光路設置工程から第２光路設置工程までに削除された位置以外の位置のうち、相隣の位置との間隔のうちで最大値とすることが好ましい。
【００３２】
上記の第１〜第３のそれぞれの場合について説明すると、第１の場合には位置Ｓ１及びＢｋ−１以外の位置のうち、相隣の位置との間隔のうちで最大値（ＭＡＸ［ａｋ、ａｋ−１、・・・、ａ２、ａ１＋ｂ１、ｂ２、・・・、ｂｋ−２、ｂｋ−１＋ｂｋ］）とすることが好ましい。また、第２の場合には、位置Ｓ１、Ｂ１及びＢ２以外の位置のうち、相隣の位置との間隔のうちで最大値（ＭＡＸ［ａｋ、ａｋ−１、・・・、ａ２、ａ１＋ｂ１＋ｂ２＋ｂ３、・・・、ｂｋ−２、ｂｋ−１、ｂｋ］）とすることが好ましい。また、第３の場合には、位置Ｓ１及びＡ１以外の位置のうち、相隣の位置との間隔のうちで最大値（ＭＡＸ［ａｋ、ａｋ−１、・・・、ａ３、ａ２＋ａ１＋ｂ１、ｂ２、ｂ３、・・・、ｂｋ−２、ｂｋ−１、ｂｋ］）とすることが好ましい。
【００３３】
また、光スプリッタ９とＯＮＵ７４〜７Ｎとの間の光ファイバ伝送路１３４〜１３Ｎそれぞれの設置においても上記の工程が繰り返して行われる。光ファイバ伝送路１３４〜１３Ｎの設置が終了すると、ステップＳ１１において、他の光ファイバ伝送路の設置が行われないと判断され、光伝送路１の構成が終了する。
【００３４】
本実施形態に係る光伝送路１の工事方法では、データの横軸上に第１反射ピークＰ１に対応する位置Ｓ１を特定して目盛をマークする。また、位置Ｓ１を基準として位置Ｓ１から光スプリッタ９に近づく方向に順に位置Ａｉ（ｉ＝１，２，３…，ｋ）を特定すると共に、位置Ｓ１から光スプリッタ９に遠ざかる方向に順に位置Ｂｉ（ｉ＝１，２，３…，ｋ）を特定する。その後、位置Ｓ１及びＡｉ及びＢｉに基づき、第２光路設置工程以降において光ファイバ伝送路１３２〜１３Ｎの他端側の保留余長を決定する。これにより、光ファイバ伝送路１３２〜１３Ｎにおける保留余長の決定において準拠される所定の基準が確立され、効率的に光伝送路１の工事を行うことができる。
【００３５】
また、第ｍ（ｍ≧２）光路設置工程における第ｍ反射ピークの位置が第１〜第（ｍ−１）反射ピークの位置と区別できない場合には、第ｍ反射ピークの位置が第１〜第（ｍ−１）の反射ピークの位置と区別できるように第ｍ光ファイバ伝送路の他端側の保留余長を調節する。そのため、光スプリッタ９の入力端子から各ターミネーションフィルタまでの光路長において差を確保することができる。また、これに伴い光ファイバ伝送路１３１〜１３Ｎにターミネーションフィルタ２１１〜２１Ｎを介して光学的に接続されているＯＮＵ７１〜７Ｎを区別して特定することも可能である。
【００３６】
また、各反射ピークの位置を取得するのに、ＯＣＤＲが用いられている。空間分解能が優れたＯＣＤＲを用いることで、光スプリッタ９の入力端子から各ターミネーションフィルタまでの光路長の差を例えば数センチ以下等に短く抑えることができる。そのため、第２光路設置工程以降において設置される光ファイバ伝送路における保留余長を不必要に長く確保する必要がなく、各保留余長を小さいキャビネットで収納することができ、これにより収納及び美観に優れた光伝送路を構成することができる。
【００３７】
本発明は上記実施形態に限定されるものではなく、様々な変形が可能である。例えば、上記の実施形態においては、各反射ピークの位置を取得するのに、ＯＣＤＲが用いられているがＯｐｔｉｃａｌ  Ｔｉｍｅ  Ｄｏｍａｉｎ  Ｒｅｆｌｅｃｔｏｍｅｔｒｙ（ＯＴＤＲ）を用いてもよい。
【符号の説明】
【００３８】
１…光伝送路、９…光スプリッタ、１３１〜１３Ｎ…光ファイバ伝送路、１５１〜１５Ｎ…出力端子、２１１〜２１Ｎ…ターミネーションフィルタ、Ｐ１，Ｐ２（１），Ｐ２（２），Ｐ２（３）…反射ピーク。
【図１】
2010276838.tif 000003
【図２】
2010276838.tif 000004
【図３】
2010276838.tif 000005